(57)【要約】      （修正有）【課題】電子時計が充電に適した環境にあるか否かを示す情報と、時刻とを同時に表示でき、かつ、指針の数が増えることを抑制できる電子時計および電子時計の制御方法を提供する。【解決手段】電子時計は、光を受光して発電する太陽電池と、太陽電池が発電した電力によって充電される二次電池と、太陽電池に照射される光の照度を検出する照度検出回路と、時刻を表示する時刻針と、副針２４と、制御回路と、を備え、制御回路は、照度検出回路によって検出された照度が、予め設定された照度閾値以上か否かを判定し、検出された照度が照度閾値以上の場合、照度検出情報を、副針２４を制御して表示させ、検出された照度が照度閾値未満の場合、予め設定された所定の情報を、副針２４を制御して表示させる。【選択図】図３
2018004353.tif 000002
【特許請求の範囲】
【請求項１】
光を受光して発電する太陽電池と、
前記太陽電池が発電した電力によって充電される二次電池と、
前記太陽電池に照射される光の照度を検出する照度検出回路と、
時刻を表示する時刻針と、
副針と、
制御回路と、を備え、
前記制御回路は、
前記照度検出回路によって検出された照度が、予め設定された照度閾値以上か否かを判定し、
前記検出された照度が前記照度閾値以上の場合、照度検出情報を、前記副針を制御して表示させ、
前記検出された照度が前記照度閾値未満の場合、予め設定された所定の情報を、前記副針を制御して表示させる
ことを特徴とする電子時計。
【請求項２】
請求項１に記載の電子時計において、
前記二次電池の電池残量を検出する電池残量検出回路を備え、
前記所定の情報は、前記電池残量検出回路によって検出された電池残量である
ことを特徴とする電子時計。
【請求項３】
請求項２に記載の電子時計において、
文字板を備え、
前記文字板の表面には、前記照度検出情報を示す照度検出指標、および、電池インジケーターが表記され、
前記電池インジケーターは、前記電池残量が複数の段階のうち最も大きい第１の段階であることを示す第１の位置と前記電池残量が前記複数の段階のうち最も小さい第２の段階であることを示す第２の位置とを有し、
前記照度検出指標は、前記副針が周回する周回方向において、前記第１の位置に対して前記第２の位置とは反対側であり、且つ、前記第２の位置との距離よりも前記第１の位置との距離が短くなる位置に配置されている
ことを特徴とする電子時計。
【請求項４】
請求項２または請求項３に記載の電子時計において、
文字板を備え、
前記文字板の表面には、電池インジケーターが表記され、
前記電池インジケーターは、前記電池残量が複数の段階のうち最も大きい第１の段階であることを示す第１の位置と前記電池残量が前記複数の段階のうち最も小さい第２の段階であることを示す第２の位置とを有し、
前記第１の位置は、前記文字板の１２時位置と６時位置とを結ぶ方向において、前記第２の位置よりも、前記１２時位置に近い位置に配置されている
ことを特徴とする電子時計。
【請求項５】
請求項２から請求項４のいずれか１項に記載の電子時計において、
前記電池残量検出回路が電池残量を検出する時間間隔は、前記照度検出回路が照度を検出する時間間隔よりも長い
ことを特徴とする電子時計。
【請求項６】
請求項１から請求項５のいずれか１項に記載の電子時計において、
前記副針は、曜日を表示可能に構成されている
ことを特徴とする電子時計。
【請求項７】
請求項１から請求項６のいずれか１項に記載の電子時計において、
前記照度検出情報は、前記照度検出回路によって検出された照度のレベルである照度レベルを含み、
文字板を備え、
前記文字板には、前記照度レベルを示す照度インジケーターが表記され、
前記制御回路は、前記検出された照度が前記照度閾値以上の場合、前記照度インジケーターにおける前記照度レベルに応じた位置を、前記副針を制御して指示させることで、前記照度レベルを表示させる
ことを特徴とする電子時計。
【請求項８】
請求項７に記載の電子時計において、
前記照度インジケーターは、第１の照度レベルを示す第１の位置と前記第１の照度レベルより低い第２の照度レベルを示す第２の位置とを有し、
前記照度インジケーターの第１の位置は、前記文字板の１２時位置と６時位置とを結ぶ方向において、前記照度インジケーターの第２の位置よりも、前記１２時位置に近い位置に配置されている
ことを特徴とする電子時計。
【請求項９】
請求項１から請求項８のいずれか１項に記載の電子時計において、
前記二次電池の電池残量を検出する電池残量検出回路を備え、
前記制御回路は、
前記電池残量検出回路によって検出された電池残量が、予め設定された電池閾値未満か否かを判定し、
前記電池残量が前記電池閾値未満の場合、前記時刻針の運針を停止させ、前記副針の移動は有効とする
ことを特徴とする電子時計。
【請求項１０】
請求項１から請求項９のいずれか１項に記載の電子時計において、
操作部を備え、
前記制御回路は、
前記操作部の表示モード切替操作に応じて、第１表示モードおよび第２表示モードを切り替えて設定し、
前記第１表示モードが設定されている場合、前記照度検出情報と前記所定の情報とを前記検出された照度に応じて前記副針を制御して切り替えて表示させ、
前記第２表示モードが設定されている場合、前記所定の情報を、前記副針を制御して表示させる
ことを特徴とする電子時計。
【請求項１１】
光を受光して発電する太陽電池と、前記太陽電池が発電した電力によって充電される二次電池と、時刻を表示する時刻針と、副針とを備える電子時計の制御方法であって、
前記太陽電池に照射される光の照度を検出するステップと、
検出した照度が、予め設定された照度閾値以上か否かを判定するステップと、
前記検出した照度が前記照度閾値以上の場合、照度検出情報を、前記副針を制御して表示させるステップと、
前記検出した照度が前記照度閾値未満の場合、予め設定された所定の情報を、前記副針を制御して表示させるステップと、を備える
ことを特徴とする電子時計の制御方法。
【発明の詳細な説明】
【技術分野】
【０００１】
本発明は、太陽電池を備える電子時計および電子時計の制御方法に関する。
【背景技術】
【０００２】
従来、光を受光して発電する太陽電池と、太陽電池が発電した電力によって充電される二次電池とを備えた電子時計において、太陽電池の発電量を表示可能な電子時計が知られている（例えば、特許文献１参照）。
特許文献１の時計は、時針、分針、秒針、機能指示針を備えており、発電状況の表示を指示する操作部の操作が行われた場合、時針、分針、秒針を移動させて、互いに重ね、かつ、太陽電池の発電量のレベルに応じた位置を指示させることで、当該発電量のレベルを表示する。これによれば、ユーザーは、操作部を操作して時計に発電量のレベルを表示させることで、時計が充電に適した環境にあるか否かを判断できる。
【先行技術文献】
【特許文献】
【０００３】
【特許文献１】特開２０１５−１７５６０２号公報
【発明の概要】
【発明が解決しようとする課題】
【０００４】
しかしながら、特許文献１の時計は、時刻を表示する指針（時針、分針、秒針）を用いて、発電量のレベルを表示しているため、発電量のレベルを表示している間は、時刻を表示できないので、ユーザーは時刻を確認できないという問題があった。この問題を解決するため、時針、分針、秒針、機能指示針とは別の指針を新たに設けて、この指針で発電量のレベルを表示することも考えられるが、この場合は、時計が備える指針の数が多くなるという問題がある。
【０００５】
本発明の目的は、電子時計が充電に適した環境にあるか否かを示す情報と、時刻とを同時に表示でき、かつ、指針の数が増えることを抑制できる電子時計および電子時計の制御方法を提供することにある。
【課題を解決するための手段】
【０００６】
本発明の電子時計は、光を受光して発電する太陽電池と、前記太陽電池が発電した電力によって充電される二次電池と、前記太陽電池に照射される光の照度を検出する照度検出回路と、時刻を表示する時刻針と、副針と、制御回路と、を備え、前記制御回路は、前記照度検出回路によって検出された照度が、予め設定された照度閾値以上か否かを判定し、前記検出された照度が前記照度閾値以上の場合、照度検出情報を、前記副針を制御して表示させ、前記検出された照度が前記照度閾値未満の場合、予め設定された所定の情報を、前記副針を制御して表示させることを特徴とする。
【０００７】
本発明によれば、検出された照度が照度閾値以上の場合、照度検出情報が副針によって表示される。このため、照度閾値を、例えば充電に適した照度の下限値に設定することで、ユーザーは、照度検出情報が表示されることで、電子時計が充電に適した環境にあることを確認できる。また、照度検出情報が表示されないことで、電子時計が充電に適した環境にないことを確認できる。
また、副針によって充電に適した環境にあるか否かが表示されている間、時刻針によって時刻を表示できるため、ユーザーは時刻を確認できる。副針とは、時分秒の時刻を表示する針ではない針をいう。
また、上記のように、照度検出情報が表示されないことで、ユーザーは、電子時計が充電に適した環境にないことを確認できる。このため、検出された照度が照度閾値未満の場合、副針によって所定の情報を表示させることで、ユーザーは、電子時計が充電に適した環境にないことと、所定の情報とを両方確認できる。所定の情報は、例えば、二次電池の電池残量や曜日などである。これによれば、充電に適した環境にあるか否かを表示する指針と、所定の情報を表示する指針とを別々に設ける場合と比べて、電子時計が備える指針の数を削減できる。
【０００８】
本発明の電子時計において、前記二次電池の電池残量を検出する電池残量検出回路を備え、前記所定の情報は、前記電池残量検出回路によって検出された電池残量であることが好ましい。
【０００９】
検出された照度が照度閾値未満の場合、太陽電池が充電に適した環境にないため、電池残量が徐々に減っている可能性がある。本発明によれば、このような場合に、副針によって電池残量を表示できるので、ユーザーに充電を促すことができる。このため、システムダウンが起きる可能性を低減できる。
なお、検出された照度が照度閾値以上の場合は、太陽電池により二次電池は充電されており、システムダウンが起きることはないため、ユーザーに充電を促す必要性は低い。このため、本発明では、検出された照度が照度閾値以上の場合に電池残量ではなく照度検出情報を表示させている。
【００１０】
本発明の電子時計において、文字板を備え、前記文字板の表面には、前記照度検出情報を示す照度検出指標、および、電池インジケーターが表記され、前記電池インジケーターは、前記電池残量が複数の段階のうち最も大きい第１の段階であることを示す第１の位置と前記電池残量が前記複数の段階のうち最も小さい第２の段階であることを示す第２の位置とを有し、前記照度検出指標は、前記副針が周回する周回方向において、前記第１の位置に対して前記第２の位置とは反対側であり、且つ、前記第２の位置との距離よりも前記第１の位置との距離が短くなる位置に配置されていることが好ましい。
【００１１】
本発明によれば、照度検出指標が、電池インジケーターに対して、電池残量が複数の段階のうち最も小さいことを示す第２の位置から、電池残量が複数の段階のうち最も大きいことを示す第１の位置に向かう方向側に位置しているため、照度検出指標が、充電に関する指標であることを、ユーザーが覚え易くできる。
【００１２】
本発明の電子時計において、文字板を備え、前記文字板の表面には、電池インジケーターが表記され、前記電池インジケーターは、前記電池残量が複数の段階のうち最も大きい第１の段階であることを示す第１の位置と前記電池残量が前記複数の段階のうち最も小さい第２の段階であることを示す第２の位置とを有し、前記第１の位置は、前記文字板の１２時位置と６時位置とを結ぶ方向において、前記第２の位置よりも、前記１２時位置に近い位置に配置されていることが好ましい。
【００１３】
ユーザーが電子時計を見たとき、１２時位置が上方に位置し、６時位置が下方に位置する。
本発明によれば、ユーザーが電子時計を見たとき、電池残量が複数の段階のうち最も大きいことを示す第１の位置を、電池残量が複数の段階のうち最も小さいことを示す第２の位置よりも、上方に位置させることができる。一般的に、ある値を表示するためのインジケーターでは、上方に向かうに従って値が高くなるものが多い。このため、第１の位置を第２の位置よりも上方に位置させることで、例えば位置関係が反対の場合と比べて、電池残量をユーザーに対して直感的に分かり易く表示できる。
【００１４】
本発明の電子時計において、前記電池残量検出回路が電池残量を検出する時間間隔は、前記照度検出回路が照度を検出する時間間隔よりも長いことが好ましい。
【００１５】
太陽電池に照射される光の照度は、電子時計が移動した場合など、電子時計が配置された環境の遷移に応じて急激に変化する場合があるため、照度を検出する時間間隔は、例えば１秒などに設定されている。
これに対して、電池残量は、照度に比べて変化する速度が遅いため、本発明では、電池残量を検出する時間間隔を、照度を検出する時間間隔よりも長く設定している。これによれば、例えば電池残量を検出する時間間隔を、照度を検出する時間間隔に合わせた場合と比べて、電池残量の検出にかかる消費電力を低減できる。
【００１６】
本発明の電子時計において、前記副針は、曜日を表示可能に構成されていることが好ましい。
【００１７】
例えば、操作部の曜日表示操作が行われることで、副針は曜日を表示する。
本発明によれば、ユーザーは、副針によって曜日も確認できる。また、曜日を専用の指針で表示する場合と比べて、電子時計が備える指針の数を削減できる。
【００１８】
本発明の電子時計において、前記照度検出情報は、前記照度検出回路によって検出された照度のレベルである照度レベルを含み、文字板を備え、前記文字板には、前記照度レベルを示す照度インジケーターが表記され、前記制御回路は、前記検出された照度が前記照度閾値以上の場合、前記照度インジケーターにおける前記照度レベルに応じた位置を、前記副針を制御して指示させることで、前記照度レベルを表示させることが好ましい。
【００１９】
本発明によれば、例えば、ユーザーは、照度レベルが低い場合には、より照度が高い場所を探して電子時計を移動させることができ、電子時計をより充電に適した環境に配置させることができる。
【００２０】
本発明の電子時計において、前記照度インジケーターは、第１の照度レベルを示す第１の位置と前記第１の照度レベルより低い第２の照度レベルを示す第２の位置とを有し、前記照度インジケーターの第１の位置は、前記文字板の１２時位置と６時位置とを結ぶ方向において、前記照度インジケーターの第２の位置よりも、前記１２時位置に近い位置に配置されていることが好ましい。
【００２１】
ユーザーが電子時計を見たとき、第１の照度レベルを示す第１の位置を、第１の照度レベルより低い第２の照度レベルを示す第２の位置よりも、上方に位置させることができる。これによれば、例えば位置関係が反対の場合と比べて、照度レベルをユーザーに対して直感的に分かり易く表示できる。
【００２２】
本発明の電子時計において、前記二次電池の電池残量を検出する電池残量検出回路を備え、前記制御回路は、前記電池残量検出回路によって検出された電池残量が、予め設定された電池閾値未満か否かを判定し、前記電池残量が前記電池閾値未満の場合、前記時刻針の運針を停止させ、前記副針の移動は有効とすることが好ましい。
【００２３】
電池残量が低下した場合、時刻針が運針を継続していると、電池残量がさらに低下してシステムダウンが起きる可能性がある。
本発明によれば、電池残量が低下した場合、時刻針を停止できるため、消費電力を低減でき、電池残量の低下を防止できるため、電子時計がシステムダウンすることを抑制できる。
また、副針は、例えば、秒針、分針、時針などによって構成される時刻針と比べて、消費電力が低いため、副針の移動が有効とされていても、システムダウンが起きる可能性は低い。このため、本発明では、副針の移動を有効とすることで、照度検出情報を表示できるようにしている。
【００２４】
本発明の電子時計において、操作部を備え、前記制御回路は、前記操作部の表示モード切替操作に応じて、第１表示モードおよび第２表示モードを切り替えて設定し、前記第１表示モードが設定されている場合、前記照度検出情報と前記所定の情報とを前記検出された照度に応じて前記副針を制御して切り替えて表示させ、前記第２表示モードが設定されている場合、前記所定の情報を、前記副針を制御して表示させることが好ましい。
【００２５】
本発明によれば、ユーザーが、太陽電池により二次電池を充電させたいと考え、操作部の表示切替操作を行い、第１表示モードを設定させた場合にのみ、検出された照度が照度閾値以上か否かを副針によって表示させることができる。また、太陽電池により二次電池を充電させない場合などは、操作部の表示切替操作を行い、第２表示モードを設定させることで、常に所定の情報を副針によって表示させることができる。
【００２６】
本発明は、光を受光して発電する太陽電池と、前記太陽電池が発電した電力によって充電される二次電池と、時刻を表示する時刻針と、副針とを備える電子時計の制御方法であって、前記太陽電池に照射される光の照度を検出するステップと、検出した照度が、予め設定された照度閾値以上か否かを判定するステップと、前記検出した照度が前記照度閾値以上の場合、照度検出情報を、前記副針を制御して表示させるステップと、前記検出した照度が前記照度閾値未満の場合、予め設定された所定の情報を、前記副針を制御して表示させるステップと、を備えることを特徴とする。
【００２７】
本発明によれば、ユーザーは、照度検出情報が表示されることで、電子時計が充電に適した環境にあることを確認できる。また、照度検出情報が表示されないことで、電子時計が充電に適した環境にないことを確認できる。
また、副針によって充電に適した環境にあるか否かが表示されている間、時刻針によって時刻を表示できるため、ユーザーは時刻を確認できる。
また、検出された照度が照度閾値未満の場合、副針によって所定の情報を表示させることで、ユーザーは、電子時計が充電に適した環境にないことと、所定の情報とを両方確認できる。これによれば、充電に適した環境にあるか否かを表示する指針と、所定の情報を表示する指針とを別々に設ける場合と比べて、電子時計が備える指針の数を削減できる。
【図面の簡単な説明】
【００２８】
【図１】本発明に係る第１実施形態の電子時計を示す正面図。
【図２】第１実施形態における電子時計の断面図。
【図３】図１の部分拡大図。
【図４】第１実施形態における電子時計の回路ブロック図。
【図５】第１実施形態における照度検出回路の回路図。
【図６】第１実施形態における照度検出処理を示すフローチャート。
【図７】第１実施形態における検出レベルと開放電圧と照度との関係を示す図。
【図８】第１実施形態における照度と充電時間との関係を示す図。
【図９】第１実施形態における電子時計が実行する処理の動作タイミングを説明する図。
【図１０】第１実施形態における指針の動作を説明する図。
【図１１】第１実施形態における電池電圧検出処理を示すフローチャート。
【図１２】第１実施形態における表示条件と表示内容を説明する図。
【図１３】本発明に係る第２実施形態の指針の回転領域の外周の表記を示す図。
【図１４】第２実施形態における照度検出処理を示すフローチャート。
【図１５】第２実施形態における表示条件と表示内容を説明する図。
【図１６】本発明に係る他の実施形態の表示例を示す図。
【図１７】他の実施形態における照度検出処理を示すフローチャート。
【図１８】他の実施形態における表示例を示す図。
【図１９】他の実施形態における表示例を示す図。
【図２０】他の実施形態における表示例を示す図。
【図２１】他の実施形態における電子時計を示す正面図。
【図２２】他の実施形態における表示例を示す図。
【図２３】他の実施形態における表示例を示す図。
【図２４】他の実施形態における表示例を示す図。
【図２５】他の実施形態における表示例を示す図。
【図２６】他の実施形態における表示例を示す図。
【図２７】他の実施形態における電子時計を示す正面図。
【図２８】他の実施形態における表示例を示す図。
【図２９】他の実施形態における電子時計を示す正面図。
【図３０】他の実施形態における電子時計の回路ブロック図。
【図３１】他の実施形態における照度検出回路の回路図。
【図３２】他の実施形態における電子時計が実行する処理の動作タイミングを説明する図。
【発明を実施するための形態】
【００２９】
［第１実施形態］
［電子時計の概略構成］
図１は、電子時計１の正面図であり、図２は、電子時計１の概略を示す断面図である。
電子時計１は、図１、図２に示すように、外装ケース３０と、カバーガラス３３と、裏蓋３４とを備えている。
外装ケース３０は、円筒状であり、金属で形成されている。図２に示すように、外装ケース３０の二つの開口のうち、表面側の開口は、カバーガラス３３で塞がれており、裏面側の開口は金属で形成された裏蓋３４で塞がれている。
外装ケース３０の側面には、Ａボタン４１と、Ｂボタン４２と、リューズ４３とが設けられている。Ａボタン４１、Ｂボタン４２、リューズ４３は、操作部の一例である。
【００３０】
外装ケース３０の内側には、ダイヤルリング３５と、文字板１１と、指針２１，２２，２３，２４と、カレンダー車２５と、各指針２１〜２４およびカレンダー車２５を駆動する駆動機構１４０などが備えられている。
【００３１】
ダイヤルリング３５は、リング状に形成されている。
文字板１１は、外装ケース３０の内側で時刻を表示する円形の板材であり、カバーガラス３３との間に各指針２１〜２４を備え、ダイヤルリング３５の内側に配置されている。
【００３２】
文字板１１と、地板１２５との間には、太陽電池１３１が備えられている。太陽電池１３１は、光エネルギーを電気エネルギーに変換する光発電を行う光発電素子である。太陽電池１３１は、カバーガラス３３および文字板１１を透過した光を受光して発電することができる。
【００３３】
文字板１１、太陽電池１３１、地板１２５には、指針２１，２２，２３の指針軸２９と、指針２４の図示しない指針軸とが貫通する穴が形成されている。また、文字板１１および太陽電池１３１には、カレンダー小窓１５の開口部が形成されている。
【００３４】
駆動機構１４０は、地板１２５に取り付けられ、回路基板１２０で裏蓋側から覆われている。駆動機構１４０は、ステップモーターと歯車などの輪列とを有し、当該ステップモーターが当該輪列を介して指針軸を回転させることにより各指針２１〜２４およびカレンダー車２５を駆動する。
駆動機構１４０は、具体的には、第１〜第４駆動機構を備える。第１駆動機構は指針２２および指針２３を駆動し、第２駆動機構は指針２１を駆動し、第３駆動機構は指針２４を駆動し、第４駆動機構はカレンダー車２５を駆動する。
【００３５】
回路基板１２０は、表面側に制御装置１５０を備えている。回路基板１２０の裏蓋側には、回路基板１２０を覆うための回路押さえ１２２が設けられている。また、二次電池１３２が、地板１２５と裏蓋３４との間に設けられている。二次電池１３２は、電子時計１の電源であり、太陽電池１３１が発電した電力によって充電される。二次電池１３２としては、リチウムイオン電池などを例示できる。
【００３６】
［電子時計の表示機構］
指針２１，２２，２３は、文字板１１の平面中心に、文字板１１の表裏方向に沿って設けられた指針軸２９に取り付けられている。なお、指針軸２９は、各指針２１，２２，２３が取り付けられる３つの指針軸で構成されている。
文字板１１の外周部を囲むダイヤルリング３５の内周側には、図１に示すように、内周を６０分割にする目盛が表記されている。この目盛を用いて、指針２１は時刻の「秒」を表示し、指針２２は時刻の「分」を表示し、指針２３は時刻の「時」を表示する。すなわち、指針２１は秒針であり、指針２２は分針であり，指針２３は時針である。つまり、指針２１〜２３は、時刻を表示する時刻針を構成する。
【００３７】
副針としての指針２４は、文字板１１の平面中心から８時方向の位置に設けられている指針軸に取り付けられている。
以下、指針２４の回転領域の外周の表記について説明するが、「ｎ時方向」（ｎは任意の自然数）とあるのは、指針２４の指針軸から回転領域の外周を見たときの方向である。
図３に示すように、指針２４の回転領域の６時方向から７時方向の範囲の外周には、「ＤＳＴ」の英字と「○」の記号が表記されている。ＤＳＴ（daylight saving time）は夏時間を意味する。指針２４は、これらの英字と記号を指示することで、夏時間（ＤＳＴ：夏時間ＯＮ、○：夏時間ＯＦＦ）の設定を表示する。
【００３８】
指針２４の回転領域の８時方向から９時方向までの範囲の外周には、当該外周の円弧に沿った形状であり、９時方向の基端７１１（第１の位置）が太く、８時方向の先端７１２（第２の位置）が細い三日月鎌状の記号である電池インジケーター７１が表記されている。ここで、基端７１１は、文字板１１の１２時位置と６時位置とを結ぶ方向において、先端７１２よりも、１２時位置に近い位置に配置されている。この電池インジケーター７１における電池残量に応じた位置を指針２４が指示することで電池残量が表示される。
具体的には、指針２４は、電池残量を予め設定された３段階で表示する。指針２４は、基端７１１（「Ｆ」の位置）を指示することで、電池残量が３段階のうち最大の段階（第１の段階）であることを表示し、先端７１２（「Ｌ」の位置）を指示することで、電池残量が３段階のうち最小の段階（第２の段階）であることを表示し、基端７１１と先端７１２の中間部７１３（「Ｍ」の位置）を指示することで、電池残量が３段階のうち中間の段階であることを表示する。なお、上記「Ｆ」、「Ｍ」、「Ｌ」は、Ｆｕｌｌ，Ｍｉｄｄｌｅ，Ｌｏｗを意図する。また、電池残量の段階は、３段階に限定されず、適宜設定できる。また、電池残量が最大の段階であることを示す「Ｆ」の位置は、基端７１１に対して先端７１２側にずれていてもよく、電池残量が最小の段階であることを示す「Ｌ」の位置は、先端７１２に対して基端７１１側にずれていてもよい。
【００３９】
指針２４の回転領域の外周には、電池インジケーター７１の基端７１１の１０時方向側、すなわち、基端７１１に対して、指針２４が先端７１２を指示する位置から基端７１１を指示する位置に向かう方向（時計回りの方向）側に、照度検出指標７２が表記されている。照度検出指標７２は、本実施形態では、太陽を表す記号である。
指針２４は、照度検出指標７２を指示することで、太陽電池１３１に照射される光の照度が、予め設定された照度閾値以上であることを示す照度検出情報を表示する。
ここで、照度検出指標７２は、指針２４が基端７１１（「Ｆ」の位置）を指示する場合の角度と、指針２４が照度検出指標７２を指示する場合の角度との差が、所定の角度内にある位置に表記されている。
所定の角度は、例えば、９０度、好ましくは６０度など、「Ｆ」の位置と照度検出指標とが関係しているとユーザーが認識できる角度である。
換言すると、照度検出指標７２は、指針２４が周回する周回方向において、電池インジケーター７１の基端７１１に対して先端７１２とは反対側であり、且つ、先端７１２との距離よりも基端７１１との距離が短くなる位置に配置されている。
【００４０】
図１に示すように、カレンダー小窓１５は、文字板１１の平面中心から３時方向に位置し、文字板１１を矩形状に開口した開口部に設けられており、開口部からカレンダー車２５に印刷された数字が視認可能となっている。カレンダー車２５は、開口部から数字を視認させることで、年月日の「日」を表示する。
【００４１】
ダイヤルリング３５には、内周側の目盛に沿って、協定世界時（ＵＴＣ）との時差を表す数字や数字以外の記号３７が表記されている。
また、ダイヤルリング３５の周囲に設けられている外装ケース３０には、ダイヤルリング３５に表記されている数字や数字以外の記号３７に対応した標準時を使用している代表都市名を表す都市情報３６が、数字や数字以外の記号３７に併記されている。
指針２１は、数字や数字以外の記号３７や都市情報３６を指示することで、現在設定されている時差情報や選択中の時差情報を表示する。
【００４２】
［電子時計の操作方法］
電子時計１は、リューズ４３が０段位置から１段引かれると、指針２１によって現在設定されている時差情報を表示し、指針２４によって現在設定されている夏時間の設定を表示する。また、リューズ４３が１段引かれた状態で、リューズ４３が回転操作されると、回転方向に応じて、指針２１を進めたり戻したりして時差情報を選択する。そして、指針２１が示した時差情報が設定される。また、リューズ４３が１段引かれた状態で、Ａボタン４１が押されると、指針２４が移動する事で、夏時間の設定のＯＮ，ＯＦＦを切り替える。そして、指針２４が示したＯＮ、ＯＦＦのいずれかが設定される。
電子時計１は、リューズ４３が０段位置から２段引かれた状態で、リューズ４３が回転操作されると、時分または日を変更する。変更対象の切り替えは、Ａボタン４１が押されることで行われる。なお、このとき、指針２４は電池残量を表示する。
【００４３】
［電子時計の回路構成］
電子時計１の制御装置１５０は、図４に示すように、ＣＰＵ（中央処理装置：Central Processing Unit）で構成される制御回路１５１、ダイオード１５２、充電制御用スイッチ１５３、照度検出回路１５４、電池電圧検出回路１５５、駆動回路１５６、ＥＥＰＲＯＭ（Electrically Erasable Programmable Read-Only Memory）やＲＡＭ（Random Access Memory）などで構成された記憶装置１５７を備えている。充電制御用スイッチ１５３、照度検出回路１５４、電池電圧検出回路１５５、駆動回路１５６、記憶装置１５７は、制御回路１５１に接続されている。
【００４４】
［ダイオード］
ダイオード１５２は、太陽電池１３１と二次電池１３２とを電気的に接続する経路に設けられ、太陽電池１３１から二次電池１３２への電流（順方向電流）を遮断せずに、二次電池１３２から太陽電池１３１への電流（逆方向電流）を遮断する。なお、順方向電流が流れるのは、二次電池１３２の電圧よりも太陽電池１３１の電圧が高い場合、すなわち充電時に限られる。ダイオード１５２は、太陽電池１３１の電圧が二次電池１３２よりも低くなった場合は、二次電池１３２から太陽電池１３１に電流が流れることを防止する。すなわち、ダイオード１５２は、逆流防止用ダイオードである。また、ダイオード１５２に代えて電界効果トランジスター（ＦＥＴ:Field effect transistor）を採用してもよい。
【００４５】
［充電制御用スイッチ］
充電制御用スイッチ１５３は、太陽電池１３１から二次電池１３２への電流の経路を接続および切断するものであり、太陽電池１３１と二次電池１３２とを電気的に接続する経路に設けられたスイッチング素子を備えている。スイッチング素子がオフ状態からオン状態に遷移すると接続し、スイッチング素子がオン状態からオフ状態へ遷移すると切断する。
【００４６】
［照度検出回路］
照度検出回路１５４は、制御回路１５１から出力される電圧の検出タイミングを指定する制御信号に基づいて作動し、太陽電池１３１の端子電圧ＰＶＩＮを検出する。ここで、照度検出回路１５４が端子電圧ＰＶＩＮを検出している期間、制御回路１５１から出力される制御信号に基づいて、充電制御用スイッチ１５３はオフ状態とされている。このため、照度検出回路１５４は、太陽電池１３１の開放電圧を検出する。
太陽電池１３１の開放電圧は、太陽電池１３１に照射される光の照度が高いほど高くなり、当該照度と相関関係がある。このため、照度検出回路１５４は、太陽電池１３１の開放電圧を予め設定された電圧閾値と比較することで、太陽電池１３１に照射される光の照度を検出できる。
照度検出回路１５４は、比較結果を制御回路１５１に出力する。
【００４７】
具体的に、照度検出回路１５４は、図５に示すように、分圧抵抗器１５４Ｈ、基準電圧源としてのレギュレーター１５４Ｉ、コンパレーター１５４Ｊを備えて構成されている。
照度検出回路１５４は、太陽電池１３１の開放電圧と比較する電圧閾値に応じて分圧抵抗器１５４Ｈの分圧抵抗値比を変える。そして、分圧抵抗器１５４Ｈで分圧された電圧と、レギュレーター１５４Ｉの基準電圧とをコンパレーター１５４Ｊで比較し、その比較結果を出力ＯＵＴから制御回路１５１に出力する。
そして、制御回路１５１からのオン／オフ信号によって、照度検出回路１５４の作動、具体的にはコンパレーター１５４Ｊの作動が制御される。
【００４８】
［電池電圧検出回路］
電池電圧検出回路１５５は、制御回路１５１から出力される電池電圧の検出タイミングを指定する制御信号に基づいて作動し、二次電池１３２の電池電圧を検出し、検出値を制御回路１５１に出力する。
ここで、二次電池１３２の電池電圧は、二次電池１３２の電池残量と相関関係がある。このため、電池電圧検出回路１５５は、二次電池１３２の電池電圧を検出することで、二次電池１３２の電池残量を検出できる。すなわち、電池電圧検出回路１５５は、電池残量検出回路に相当する。
電池電圧の検出結果は、制御回路１５１によって記憶装置１５７に記憶される。
【００４９】
［駆動回路］
駆動回路１５６は、制御回路１５１から出力される制御信号に基づいて駆動し、駆動機構１４０が備えるステップモーターの端子にパルスを出力して駆動機構１４０を駆動させ、各指針２１〜２４およびカレンダー車２５を駆動させる。
【００５０】
［制御回路］
次に、制御回路１５１の動作について説明する。制御回路１５１は、以下に示す照度検出処理および電池電圧検出処理などを実行する。
【００５１】
［照度検出処理］
制御回路１５１が実行する照度検出処理について、図６のフローチャートに基づき説明する。
制御回路１５１は、一定周期で照度検出処理を実行する。本実施形態では、制御回路１５１は、１秒間隔で照度検出処理を実行している。
制御回路１５１は、照度検出処理を実行すると、照度検出情報を表示させるための条件である照度閾値を設定する。照度閾値は、太陽電池１３１に照射される光の照度に対して図７に示す関係にある検出レベルを用いて設定する（Ｓ１１）。
ここで、図７における照度は、各検出レベルにおける下限値を表したものである。例えば、検出レベルが「４」とは、照度が３０００ルクス以上であることを意図する。
【００５２】
ここで、電子時計１において、太陽電池１３１に照射される光の照度と、電池残量が０の状態からフル充電されるまでの充電時間、および、電子時計１を１日駆動させる分の電力が充電されるまでの充電時間との関係は、図８に示す通りである。
例えば、照度が３０００ルクスの場合、フル充電には１１０時間かかり、電子時計１を１日駆動させる分の電力を充電するには、３３分かかる。
３０００ルクスの光は、屋外だけではなく、屋内における窓際などでも観測でき、また、電子時計１を１日駆動させる分の電力を３０分程度で充電できるため、太陽電池１３１に照射される光の照度が３０００ルクス以上であれば、電子時計１が充電に適した環境にあると判断できる。このため、本実施形態では、太陽電池１３１に照射される光の照度が３０００ルクス以上の場合に照度検出情報が表示されるように、照度閾値を３０００ルクスに対応した検出レベル「４」に設定している。
なお、図８に示す関係は、通常、電子時計１の取扱説明書などに記載されているため、ユーザーは、太陽電池１３１に照射されている光の照度を確認できれば、おおよその充電時間を推定できる。
【００５３】
次に、制御回路１５１は、照度検出回路１５４を作動させる。すなわち、本実施形態では、図９に示すように、制御回路１５１は、１秒間隔の制御信号を出力し、照度検出回路１５４を作動させている。この際、充電制御用スイッチ１５３は、制御回路１５１によってオフ状態に切り替えられる。すなわち、照度検出回路１５４が作動している際、充電制御用スイッチ１５３はオフ状態に制御されるので、太陽電池１３１および照度検出回路１５４は、二次電池１３２とは切り離される。このため、照度検出回路１５４は、二次電池１３２の充電電圧の影響を受けることなく、太陽電池１３１に照射される光の照度に対応する開放電圧を検出できる。また、電池電圧検出回路１５５による電池残量を検出する時間間隔は、６秒間隔で、照度を検出する時間間隔１秒よりも長い。
【００５４】
また、制御回路１５１は、照度検出回路１５４の電圧閾値を、照度閾値として設定した検出レベルに対応した値に設定する。太陽電池１３１に照射される光の照度と開放電圧とは、図７に示すように相関関係がある。制御回路１５１は、照度閾値として設定した検出レベルに対応した開放電圧の値を図７に基づき判定し、判定した値を電圧閾値に設定する（Ｓ１１）。
ここで、図７は、各検出レベルにおける太陽電池開放電圧を表したものである。例えば、検出レベルが「４」とは、開放電圧２．４０Ｖ以上であることを意図する。なお、検出レベルと開放電圧と照度との関係は、図７に示す関係に限定されず、適宜設定することができる。また、検出レベルは、「０」〜「１０」の１１段階に分けられているが、より多い段階に分けたり、反対に、より少ない段階に分けたりしてもよい。
そして、照度検出回路１５４は、太陽電池１３１の開放電圧を電圧閾値と比較し、太陽電池１３１の開放電圧が電圧閾値以上の場合、例えばハイレベル（Ｈレベル）信号を照度検出結果として制御回路１５１に出力する。
すなわち、このような構成によれば、太陽電池１３１に照射される光の照度が照度閾値として設定された検出レベル以上の場合に、照度検出回路１５４から制御回路１５１に例えばハイレベル信号が出力される。
【００５５】
そして、制御回路１５１は、照度検出回路１５４から出力される照度検出結果に基づき、太陽電池１３１に照射される光の照度が照度閾値として設定した検出レベル（「４」）以上か否かを判定する（Ｓ１２）。
【００５６】
Ｓ１２でＹＥＳと判定された場合、制御回路１５１は、記憶装置１５７内の照度検出結果フラグをオンにする。そして、制御回路１５１は、駆動回路１５６を制御して、図１０に示すように、指針２４に照度検出指標７２を指示させ、太陽電池１３１に照射された光の照度が照度閾値以上であることを示す照度検出情報を表示させる（Ｓ１３）。その後、制御回路１５１は、照度検出処理を終了する。
一方、Ｓ１２でＮＯと判定された場合、制御回路１５１は、記憶装置１５７内の照度検出結果フラグをオフにして、駆動回路１５６を制御して、指針２４に電池インジケーター７１における電池残量に応じた位置を指示させて、所定の情報として電池残量を表示させる（Ｓ１４）。そして、制御回路１５１は、照度検出処理を終了する。
【００５７】
以上の処理により、図９に示すように、太陽電池１３１に照射された光の照度が照度閾値（検出レベル「４」：３０００ルクス）以上であると判定されてから、当該照度が照度閾値未満であると判定されるまでの期間、指針２４によって照度検出情報が表示される。また、それ以外の期間は、指針２４によって電池残量が表示される。
【００５８】
［電池電圧検出処理］
次に、制御回路１５１が実行する電池電圧検出処理について、図１１のフローチャートに基づき説明する。
制御回路１５１は、一定周期で電池電圧検出処理を実行する。本実施形態では、制御回路１５１は、６秒間隔で電池電圧検出処理を実行している。
制御回路１５１は、電池電圧検出処理を実行すると、電池電圧検出回路１５５を作動させる。電池電圧検出回路１５５は、作動すると二次電池１３２の電池電圧を検出し（Ｓ２１）、検出値を制御回路１５１に出力する。
【００５９】
次に、制御回路１５１は、電池電圧検出回路１５５が検出した検出値が、１．４Ｖ以上か否かを判定する（Ｓ２２）。Ｓ２２でＹＥＳと判定された場合、制御回路１５１は、秒針である指針２１の運針間隔を１秒に設定する（Ｓ２３）。そして、制御回路１５１は、電池電圧の検出結果を記憶装置１５７に記憶させ（Ｓ２４）、電池電圧検出処理を終了する。
Ｓ２２でＮＯと判定された場合、制御回路１５１は、電池電圧検出回路１５５が検出した検出値が、１．２Ｖ以上１．４Ｖ未満か否かを判定する（Ｓ２５）。Ｓ２５でＹＥＳと判定された場合、制御回路１５１は、指針２１の運針間隔を１秒に設定する（Ｓ２６）。そして、制御回路１５１は、Ｓ２４で電池電圧の検出結果を記憶装置１５７に記憶させ、電池電圧検出処理を終了する。
【００６０】
Ｓ２５でＮＯと判定された場合、制御回路１５１は、電池電圧検出回路１５５が検出した検出値が、１．１Ｖ以上１．２Ｖ未満か否かを判定する（Ｓ２７）。Ｓ２７でＹＥＳと判定された場合、電池残量が低下していることを表示するため、制御回路１５１は、指針２１の運針間隔を２秒に設定する（Ｓ２８）。そして、制御回路１５１は、Ｓ２４で電池電圧の検出結果を記憶装置１５７に記憶させ、電池電圧検出処理を終了する。
Ｓ２７でＮＯと判定された場合、制御回路１５１は、電池電圧検出回路１５５が検出した検出値が、１．１Ｖ未満か否かを判定する（Ｓ２９）。Ｓ２９でＮＯと判定された場合、制御回路１５１はそのまま電池電圧検出処理を終了する。一方、Ｓ２９でＹＥＳと判定された場合、電池残量がさらに低下してシステムダウンが起こることを回避するため、制御回路１５１は、時刻針（指針２１，２２，２３）を停止させ（Ｓ３０）、消費電力を低減する。すなわち、制御回路１５１は、電池残量が予め設定された電池閾値（１．１Ｖ）未満の場合、時刻針の運針を停止させる。そして、Ｓ２４で電池電圧の検出結果を記憶装置１５７に記憶させ、電池電圧検出処理を終了する。なお、この際、制御回路１５１は、指針２４の移動は有効とする。すなわち、照度検出回路１５４や電池電圧検出回路１５５の検出結果に基づいて、照度検出指標７２や電池インジケーター７１における電池残量に応じた位置を指示させる。
【００６１】
このような電子時計１によれば、図１２に示すように、照度が３０００ルクス未満の場合、すなわち、記憶装置１５７内の照度検出結果フラグがオフの場合は、太陽電池１３１に照射される光の量が不足しており、充電に適した環境にないため、照度検出情報は表示せず、指針２４に電池残量を表示させる。
具体的には、電子時計１は、記憶装置１５７に記憶された照度検出結果フラグと電池電圧の検出結果との情報に基づいて、照度検出指標７２や電池インジケーター７１における電池残量に応じた位置を指示させる。例えば、照度検出結果フラグがオフであり、且つ、電池電圧検出回路１５５が検出した電圧が、１．２０Ｖ未満であることが記憶されている場合、電池残量が少量である（充電が必要である）ため、指針２４に電池インジケーター７１の「Ｌ」の位置を指示させる。また、検出した電圧が、１．２０Ｖ以上１．４０Ｖ未満であることが記憶されている場合、電池残量が中量であるため、指針２４に電池インジケーター７１の「Ｍ」の位置を指示させる。また、検出した電圧が、１．４０Ｖ以上であることが記憶されている場合、電池残量が多量であるため、指針２４に電池インジケーターの「Ｆ」の位置を指示させる。
また、電子時計１は、照度が３０００ルクス以上の場合、すなわち、記憶装置１５７内の照度検出結果フラグがオンの場合は、電池電圧検出回路１５５が検出した電圧がいずれの値であっても、太陽電池１３１に照射される光の量が適度で充電に適した環境にあるため、指針２４に照度検出指標７２を指示させ、照度検出情報を表示させる。
【００６２】
［第１実施形態の作用効果］
ユーザーは、照度検出情報が表示されることで、電子時計１が充電に適した環境にあることを確認できる。また、照度検出情報が表示されないことで、電子時計１が充電に適した環境にないことを確認できる。
また、指針２４によって充電に適した環境にあるか否かが表示されている間、時刻針によって時刻を表示できるため、ユーザーは時刻を確認できる。
また、検出された照度が照度閾値未満の場合、指針２４によって電池残量を表示させることで、ユーザーは、電子時計１が充電に適した環境にないことと、電池残量とを両方確認できる。これによれば、充電に適した環境にあるか否かを表示する指針と、電池残量を表示する指針とを別々に設ける場合と比べて、電子時計１が備える指針の数を削減できる。
ここで、検出された照度が照度閾値未満の場合、太陽電池１３１が充電に適した環境にないため、電池残量が徐々に減っている可能性がある。電子時計１によれば、このような場合に、指針２４によって電池残量を表示できるので、ユーザーに充電を促すことができる。このため、システムダウンが起きる可能性を低減できる。なお、検出された照度が照度閾値以上の場合は、太陽電池１３１により二次電池１３２は充電されており、システムダウンが起きることはないため、ユーザーに充電を促す必要性は低い。このため、電子時計１では、検出された照度が照度閾値以上の場合に電池残量ではなく照度検出情報を表示させている。
【００６３】
照度検出指標７２が、電池インジケーター７１に対して、「Ｌ」の位置から「Ｆ」の位置に向かう方向側に位置しているため、照度検出指標７２が、充電に関する指標であることを、ユーザーが覚え易くできる。
【００６４】
ユーザーが電子時計１を見たとき、電池インジケーター７１における「Ｆ」の位置を「Ｌ」の位置よりも上方に位置させることができる。一般的に、ある値を表示するためのインジケーターでは、上方に向かうに従って値が高くなるものが多い。このため、「Ｆ」の位置を「Ｌ」の位置よりも上方に位置させることで、例えば位置関係が反対の場合と比べて、電池残量をユーザーに対して直感的に分かり易く表示できる。
【００６５】
太陽電池１３１に照射される光の照度は、ユーザーが電子時計１を携帯して移動した場合など、電子時計１が配置された環境の遷移に応じて急激に変化する場合があるため、電子時計１では、照度を検出する時間間隔は、１秒に設定されている。
これに対して、電池残量は、照度に比べて変化する速度が遅いため、電子時計１では、電池残量を検出する時間間隔を、照度を検出する時間間隔よりも長い時間（６秒）に設定している。これによれば、例えば電池残量を検出する時間間隔を、照度を検出する時間間隔に合わせた場合と比べて、電池残量の検出にかかる消費電力を低減できる。
【００６６】
電池残量が低下した場合、時刻針が運針を継続していると、電池残量がさらに低下してシステムダウンが起きる可能性がある。
電子時計１によれば、電池残量が低下した場合、時刻針を停止できるため、消費電力を低減でき、電池残量の低下を防止できるため、電子時計１がシステムダウンすることを抑制できる。
また、指針２４は、秒針、分針、時針によって構成される時刻針と比べて、消費電力が低いため、指針２４の移動が有効とされていても、システムダウンが起きる可能性は低い。このため、電子時計１では、指針２４の移動を有効とすることで、照度検出情報を表示できるようにしている。
【００６７】
［第２実施形態］
第２実施形態の電子時計は、太陽電池１３１に照射される光の照度が照度閾値以上の場合、照度検出情報として、検出された照度のレベル（照度レベル）を表示する。以下に第２実施形態の電子時計の構成について説明する。なお、第１実施形態と同様の構成については、同じ符号を付け説明は省略する。
【００６８】
第２実施形態の電子時計では、図１３に示すように、指針２４の回転領域の外周に、「ＤＳＴ」と「○」と電池インジケーター７１に加えて、当該回転領域の１０時方向から１１時方向までの範囲の外周に、当該外周の円弧に沿った形状であり、１１時方向の基端７３１（第１の位置）が太く、１０時方向の先端７３２（第２の位置）が細い三日月鎌状の記号である照度インジケーター７３が、照度検出指標として表記されている。ここで、基端７３１は、文字板１１の１２時位置と６時位置とを結ぶ方向において、先端７３２よりも、１２時位置に近い位置に配置されている。この照度インジケーター７３における照度レベルに応じた位置を指針２４が指示することで、照度検出情報として照度レベルが表示される。
具体的には、指針２４は、照度レベルを予め設定された３段階で表示する。指針２４は、基端７３１（「Ｆ」の位置）を指示することで、照度レベルが３段階のうちの最大レベル（第１の照度レベル）であることを表示し、先端７３２（「Ｌ」の位置）を指示することで、照度レベルが３段階のうちの最小レベル（第２の照度レベル）であることを表示し、基端７３１と先端７３２の中間部７３３（「Ｍ」の位置）を指示することで、照度レベルが３段階のうちの中間レベルであることを表示する。なお、照度レベルの段階は、３段階に限定されず、適宜設定できる。また、照度レベルが最大レベルであることを示す「Ｆ」の位置は、基端７３１に対して先端７３２側にずれていてもよく、照度レベルが最小レベルであることを示す「Ｌ」の位置は、先端７３２に対して基端７３１側にずれていてもよい。
ここで、照度インジケーター７３は、指針２４が電池インジケーター７１の基端７１１（「Ｆ」の位置）を指示する場合の角度と、指針２４が照度インジケーター７３の先端７３２（「Ｌ」の位置）を指示する場合の角度との差が、所定の角度内にある位置に表記されている。
所定の角度は、例えば、９０度、好ましくは６０度など、電池インジケーター７１の「Ｆ」の位置と、照度インジケーター７３とが関係しているとユーザーが認識できる角度である。
【００６９】
次に、第２実施形態における制御回路が実行する照度検出処理について、図１４のフローチャートに基づき説明する。
制御回路は、Ｓ１１，Ｓ１２，Ｓ１４，Ｓ４１〜Ｓ４７の処理を実行する。ここで、Ｓ１１，Ｓ１２，Ｓ１４の処理は、第１実施形態におけるＳ１１，Ｓ１２，Ｓ１４の処理と同じため、説明を省略する。
Ｓ１２で、太陽電池１３１に照射された光の照度が照度閾値（検出レベル「４」）以上であると判定された場合（Ｓ１２でＹＥＳと判定）、制御回路は、記憶装置１５７内の照度検出結果フラグをオンにする。そして、制御回路は、照度閾値を所定レベル高くする（Ｓ４１）。本実施形態では、照度閾値を、検出レベル「４」から検出レベル「７」に変更する。
そして、制御回路は、太陽電池１３１に照射される光の照度が、変更された照度閾値（検出レベル「７」）以上か否かを判定する（Ｓ４２）。
Ｓ４２でＮＯと判定された場合、すなわち、照度が検出レベル「４」以上「７」未満の場合、制御回路は、駆動回路１５６を制御して、指針２４に照度インジケーター７３の「Ｌ」の位置を指示させ（Ｓ４３）、照度検出処理を終了する。
【００７０】
一方、Ｓ４２でＹＥＳと判定された場合、制御回路は、照度閾値を所定レベル高くする（Ｓ４４）。本実施形態では、照度閾値を、検出レベル「７」から検出レベル「９」に変更する。
そして、制御回路は、太陽電池１３１に照射される光の照度が、変更された照度閾値（検出レベル「９」）以上か否かを判定する（Ｓ４５）。
Ｓ４５でＮＯと判定された場合、すなわち、照度が検出レベル「７」以上「９」未満の場合、制御回路は、駆動回路１５６を制御して、指針２４に照度インジケーター７３の「Ｍ」の位置を指示させ（Ｓ４６）、照度検出処理を終了する。
一方、Ｓ４５でＹＥＳと判定された場合、すなわち、照度が検出レベル「９」以上の場合、制御回路は、駆動回路１５６を制御して、指針２４に照度インジケーター７３の「Ｆ」の位置を指示させ（Ｓ４７）、照度検出処理を終了する。
【００７１】
このような本実施形態の電子時計は、図１５に示すように、照度が３０００ルクス以上１００００ルクス未満の場合、太陽電池１３１に照射される光の量が良好であるため、指針２４に照度インジケーター７３における「Ｌ」の位置を指示させる。また、照度が１００００ルクス以上５００００ルクス未満の場合、前記光の量がより良い状態（中良）であるため、指針２４に照度インジケーター７３における「Ｍ」の位置を指示させる。また、照度が５００００ルクス以上の場合、前記光の量が最良であるため、指針２４に照度インジケーター７３における「Ｆ」の位置を指示させる。
なお、本実施形態の電子時計のその他の構成は、第１実施形態と同様である。
【００７２】
［第２実施形態の作用効果］
本実施形態においても、第１実施形態と同様の構成により、第１実施形態と同様の作用効果を得ることができる。さらに、次の作用効果を得ることができる。
図８で示される通り、フル充電までの時間は照度によって変わるが、照度インジケーター７３が複数段階になる事で、照度インジケーター７３が「Ｌ」の場合は、フル充電までの充電時間が１１０時間、「Ｍ」の場合は、フル充電までの充電時間が３０時間、「Ｌ」の場合は、フル充電までの充電時間が１５時間である事が判る。よって、より詳細に充電時間が判る様になる。ユーザーがより短時間で充電したい場合は、照度インジケーター７３を確認してより照度の高い環境で二次電池１３２を充電する事が可能となる。例えば、ユーザーは、照度レベルが低い場合には、より照度が高い場所を探して電子時計を移動させることができ、電子時計をより充電に適した環境に配置させることができる。
ユーザーが電子時計を見たとき、照度インジケーター７３における「Ｆ」の位置を「Ｌ」の位置よりも上方（１２時位置に近い方）に位置させることができる。これによれば、例えば位置関係が反対の場合と比べて、照度レベルをユーザーに対して直感的に分かり易く表示できる。
【００７３】
［他の実施形態］
なお、本発明は前述の各実施形態に限定されるものではなく、本発明の目的を達成できる範囲での変形、改良等は本発明に含まれるものである。
【００７４】
上記第１実施形態の電子時計１において、指針２４が曜日も表示できるように構成してもよい。
この場合、例えば、図１６に示すように、指針２４の回転領域の１時方向から４時方向までの範囲の外周に、七曜を示す英単語の頭文字である「Ｓ（Ｓｕｎｄａｙ）」、「Ｍ（Ｍｏｎｄａｙ）」、「Ｔ（Ｔｕｅｓｄａｙ）」、「Ｗ（Ｗｅｄｎｅｓｄａｙ）」、「Ｔ（Ｔｈｕｒｓｄａｙ）」、「Ｆ（Ｆｒｉｄａｙ）」、「Ｓ（Ｓａｔｕｒｄａｙ）」の文字が表記される。指針２４は、これらの文字のいずれかを指示することで曜日を表示する。
この場合、指針２４は、太陽電池１３１に照射される光の照度が照度閾値未満の場合、電池残量または曜日を表示する。電池残量を表示させるか曜日を表示させるかは、例えばリューズ４３が０段位置の状態で、Ａボタン４１を押すことで選択できる。
曜日が選択されている場合、制御回路１５１は、照度検出処理において、図１７のフローチャートに示すように、Ｓ１２で検出された照度が照度閾値未満であると判定された場合（Ｓ１２でＮＯと判定）、駆動回路１５６を制御して、指針２４に曜日を表示させる（Ｓ５１）。
なお、夏時間の設定の記号、電池インジケーター７１、照度検出指標７２と、七曜の文字は、図１８に示すように、指針２４の回転領域における１２時位置と６時位置とを結ぶ仮想の直線を境界として、左右が入れ替わって配置されていてもよい。
【００７５】
また、上記第２実施形態の電子時計において、同様に、図１９に示すように、指針２４が曜日も表示できるように構成してもよい。この場合も、夏時間の設定、電池インジケーター７１、照度インジケーター７３と、七曜の文字とは、図２０に示すように、前記仮想の直線を境界として、左右が入れ替わって配置されていてもよい。
【００７６】
上記各実施形態および他の実施形態では、指針２４は、文字板１１の平面中心から８時方向の位置に設けられている指針軸に取り付けられているが、本発明はこれに限定されない。例えば、指針２４は、図２１に示すように、前記平面中心から６時方向の位置に設けられた指針軸に取り付けられていてもよい。
この場合の表示例を、図２２〜図２６にそれぞれ示す。
図２２では、指針２４の回転領域の６時方向から８時方向の範囲の外周に、電池インジケーター７１が表記され、当該回転領域の４時方向から６時方向の範囲の外周に、照度インジケーター７３が表記されている。
図２３は、図２２の表示例を、前記仮想の直線を境界として、左右を入れ替えたものである。
図２４は、図２２の表示例に対して、指針２４の回転領域の８時方向から９時方向の範囲の外周に、夏時間の設定の記号を表記したものである。
図２５では、指針２４の回転領域の６時方向から９時方向の範囲の外周に、電池インジケーター７１が表記され、電池インジケーター７１の１０時方向側に照度検出指標７２が表記されている。また、当該回転領域の２時方向から６時方向の範囲の外周に、七曜の文字が表記されている。
図２６は、図２５の表示例を、前記仮想の直線を境界として、左右を入れ替えたものである。
【００７７】
また、指針２４は、図２７に示すように、文字板１１の平面中心に設けられている指針軸に取り付けられていてもよい。
図２７では、１周を６０分割する目盛の内側に、夏時間の設定の記号、電池インジケーター７１、照度インジケーター７３、七曜の文字が表記されている。これらの記号や文字は、指針２４によって指示される。
【００７８】
このように、指針２４によって曜日を表示できることで、専用の指針によって曜日を表示する場合と比べて、電子時計が備える指針の数を削減できる。
なお、指針２４を照度検出情報および曜日のみ表示可能な構成とし、太陽電池１３１に照射される光の照度が照度閾値未満の場合、指針２４によって所定の情報として曜日を表示させるようにしてもよい。
【００７９】
上記他の実施形態では、指針２４によって曜日が表示されているが、図２８に示すように、指針２４とは別の指針２６によって曜日を表示してもよい。
図２８は、図１６に対応した表示例である。この場合、指針２４は、夏時間の設定の記号、電池インジケーター７１、照度検出指標７２を指示し、指針２６は、七曜の文字を指示する。
【００８０】
また、指針２４は、照度検出情報および電池残量と、曜日ではない他の情報を表示してもよい。他の情報としては、年、月、日、閏年、温度、湿度、方位、高度、脈拍数、活動量、標準電波などの受信局、時差、クロノグラフの時、クロノグラフの分、機能（モード）の表示などを例示できる。
図２９は、アラーム機能、ワールドタイム機能、クロノグラフ機能を備えた電子時計の表示例を示す。ワールドタイム機能は、現在地の時刻（ローカルタイム）に加えて、現在地とは異なる地域の時刻（ホームタイム）を表示できる機能である。
図２９では、指針２４は、文字板１１の平面中心から１２時方向に設けられた指針軸に取り付けられている。指針２４の回転領域の外周には、電池インジケーター７１、照度検出指標７２に加えて、アラーム機能を表す「ＡＬ」の文字、ワールドタイム機能を表す「ＷＴ」の文字、クロノグラフ機能を表す「ＣＨＲ」の文字が表記されている。指針２４は、これらの文字を指示することで、実行中の機能（モード）を表示する。
その他、ローカルタイムを表示する時分針である指針２３，２２は、前記平面中心に設けられた指針軸に取り付けられ、ローカルタイムを表示する秒針である指針２１は、前記平面中心から９時方向に設けられた指針軸に取り付けられている。
前記平面中心に設けられた指針軸には指針２３，２２に加えて、クロノグラフの１／５秒を表示する指針２７が取り付けられている。指針２７は、時差情報やアラームのＯＮ，ＯＦＦも表示する。
指針２８Ｈ，２８Ｉは、前記平面中心から６時方向に設けられた指針軸に取り付けられ、クロノグラフの時分およびホームタイムの時分を表示する。
カレンダー小窓１５は、前記平面中心から４時方向に位置している。
【００８１】
上記各実施形態および他の実施形態では、照度検出回路１５４は、太陽電池１３１の端子電圧ＰＶＩＮと基準電圧とを比較することで、照度を検出しているが、本発明はこれに限定されない。
例えば、図３０に示すように、太陽電池１３１とダイオード１５２との間に抵抗１５８を接続し、端子電圧ＰＶＩＮと、ダイオード１５２および抵抗１５８間のノードＡとの電位差を、電位差閾値と比較することで、照度を検出してもよい。この場合、照度の検出は、充電制御用スイッチ１５３がオン状態とされて行われる。
この場合、照度検出回路１５４Ａは、例えば、図３１に示すように、コンパレーター１５４Ｋを備えて構成される。コンパレーター１５４Ｋは、端子電圧ＰＶＩＮと、ノードＡの電圧との電位差を、電位差閾値と比較し、その比較結果を出力ＯＵＴから制御回路１５１に出力する。電位差閾値は、照度閾値として設定された検出レベルに基づいて制御回路１５１によって設定される。
そして、制御回路１５１からのオン／オフ信号によって、照度検出回路１５４Ａの作動、具体的にはコンパレーター１５４Ｋの作動が制御される。
また、照度検出回路を、ＡＤコンバーターなどを用いて構成し、太陽電池１３１の開放電圧の値をデータ化して制御回路１５１に出力する構成としてもよい。
【００８２】
前記各実施形態において、指針２４が照度検出情報を表示している場合に、操作部の表示切替操作が行われた場合、例えば、図３２に示すように、次の照度検出のタイミングまで、指針２４に電池残量を表示させてもよい。また、次の照度検出のタイミングではなく、１秒などの予め設定された時間や、操作部の操作が行われるまでの間、指針２４に電池残量を表示させてもよい。
【００８３】
前記各実施形態において、制御回路は、操作部の表示モード切替操作に応じて、照度が照度閾値以上か否かを表示する第１表示モード、および、照度が照度閾値以上か否かを表示せずに電池残量等の他の情報のみを表示する第２表示モードを切り替えて設定してもよい。
この場合、制御回路は、第１表示モードが設定され、かつ、太陽電池１３１に照射される光の照度が照度閾値以上の場合、照度検出情報を、指針２４を制御して表示させ、第１表示モードが設定され、かつ、照度が照度閾値未満の場合、電池残量を、指針２４を制御して表示させる。そして、第２表示モードが設定されている場合、太陽電池１３１に照射される光の照度が照度閾値以上の場合であっても、電池残量を指針２４を制御して表示させる。
これによれば、ユーザーが、太陽電池１３１により二次電池１３２を充電させたいと考え、操作部の表示切替操作を行い、第１表示モードを設定させた場合にのみ、照度が照度閾値以上か否かを指針２４によって表示させることができる。また、太陽電池１３１により二次電池１３２を充電させない場合などは、操作部の表示切替操作を行い、第２表示モードを設定させることで、常に電池残量を指針２４によって表示させることができる。
【符号の説明】
【００８４】
１…電子時計、１１…文字板、２１〜２３…指針（時刻針）、２４…指針（副針）、４１…Ａボタン（操作部）、４２…Ｂボタン（操作部）、４３…リューズ（操作部）、７１…電池インジケーター、７２…照度検出指標、７３…照度インジケーター、１３１…太陽電池、１３２…二次電池、１５１…制御回路、１５４，１５４Ａ…照度検出回路、１５５…電池電圧検出回路（電池残量検出回路）、７１１，７３１…基端（第１の位置）、７１２，７３２…先端（第２の位置）、７１３，７３３…中間部。
【図１】
2018004353.tif 000003
【図２】
2018004353.tif 000004
【図３】
2018004353.tif 000005
【図４】
2018004353.tif 000006
【図５】
2018004353.tif 000007
【図６】
2018004353.tif 000008
【図７】
2018004353.tif 000009
【図８】
2018004353.tif 000010
【図９】
2018004353.tif 000011
【図１０】
2018004353.tif 000012
【図１１】
2018004353.tif 000013
【図１２】
2018004353.tif 000014
【図１３】
2018004353.tif 000015
【図１４】
2018004353.tif 000016
【図１５】
2018004353.tif 000017
【図１６】
2018004353.tif 000018
【図１７】
2018004353.tif 000019
【図１８】
2018004353.tif 000020
【図１９】
2018004353.tif 000021
【図２０】
2018004353.tif 000022
【図２１】
2018004353.tif 000023
【図２２】
2018004353.tif 000024
【図２３】
2018004353.tif 000025
【図２４】
2018004353.tif 000026
【図２５】
2018004353.tif 000027
【図２６】
2018004353.tif 000028
【図２７】
2018004353.tif 000029
【図２８】
2018004353.tif 000030
【図２９】
2018004353.tif 000031
【図３０】
2018004353.tif 000032
【図３１】
2018004353.tif 000033
【図３２】
2018004353.tif 000034